(57)【要約】【課題】明るさを安定させることができる低コストの発光ダイオード信号灯を提供する。【解決手段】発光ダイオードをそれぞれ備え、相互に直列に接続された対をなす複数の発光部と；定電流交流電源からの交流を直流に変換し平滑回路により平滑した出力を前記複数の発光部の直列接続の両端間に供給して点灯させる点灯回路と；オン信号をそれぞれ受けたときに、前記複数の発光部それぞれを短絡して遮断し消灯させるように前記複数の発光部毎に並列接続された点滅スイッチと；前記点滅スイッチに、オン信号を所定周期で出力する駆動信号ＳＬａとこの駆動信号と同期しそのオンオフが逆転した他方の駆動信号ＳＲａとをそれぞれ与えて前記複数の発光部を交互に点滅させる点滅スイッチ駆動手段と；少なくとも一方の駆動信号のオン信号の出力が他方の駆動信号のオン信号とともに所定期間休止させる休止時間αを経てから出力されるように設定する駆動信号調整手段と；を具備している。【選択図】  図１
2010073645.tif 000002
【特許請求の範囲】
【請求項１】
発光ダイオードをそれぞれ備え、相互に直列に接続された対をなす複数の発光部と；
定電流交流電源からの交流を直流に変換し平滑回路により平滑した出力を前記複数の発光部の直列接続の両端間に供給して点灯させる点灯回路と；
オン信号をそれぞれ受けたときに、前記複数の発光部それぞれを短絡して遮断し消灯させるように、前記複数の発光部毎に並列接続された点滅スイッチと；
前記点滅スイッチに、オン信号を所定周期で出力する駆動信号とこの駆動信号と同期しそのオンオフが逆転した他方の駆動信号とをそれぞれ与えて前記複数の発光部を交互に点滅させる点滅スイッチ駆動手段と；
少なくとも一方の駆動信号のオン信号の出力が他方の駆動信号のオン信号とともに所定期間休止させる休止時間を経てから出力されるように設定する駆動信号調整手段と；
を具備していることを特徴とする発光ダイオード信号灯。
【請求項２】
前記複数の発光部に印加される電圧が所定値を超える過電圧であることを検出したときに、発光部への通電を遮断するように制御する電圧検出回路を具備し、
前記休止時間は、この電圧検出回路の制御時間よりも短く設定されていることを特徴とする請求項１記載の発光ダイオード信号灯。
【発明の詳細な説明】
【技術分野】
【０００１】
本発明は光源としてＬＥＤ（発光ダイオード）を用いた発光ダイオード信号灯に関する。
【背景技術】
【０００２】
従来、この種の発光ダイオード信号灯の一例としては、空港の滑走路やその誘導路の出入口に設置される滑走路警戒灯等の航空標識灯がある。
【０００３】
このような従来のＬＥＤ滑走路警戒灯では、電源として定電圧交流電源を用いたもの（例えば特許文献１参照）が知られている。
【特許文献１】特開２００１−２１６８０３号公報
【発明の開示】
【発明が解決しようとする課題】
【０００４】
しかしながら、このような従来の滑走路警戒灯では、既存の航空標識灯用定電流交流電源を用いずに定電圧交流電源を用いるので、新たに定電圧交流電源を設けなければならず、コストアップを招くという課題がある。
【０００５】
また、定電圧交流電源を用いる場合は、複数のＬＥＤを直列接続してなる発光ユニットをさらに対をなすように直列接続し、これらの各発光ユニットに流れる電流を自動電圧調整器により定電流に制御することにより、各発光ユニットの明るさの均一性を図る必要がある。
【０００６】
一方、既存の定電流交流電源を用いた場合、電源交流を直流に変換して平滑回路により平滑した出力を、直列接続された一対の発光ユニットに給電する点灯回路を具備している。また、これら発光ユニットを交互に点滅させる複数の点滅スイッチとしてＦＥＴ（電界効果形トランジスタ）を用いる場合には、発光ユニットに対して並列接続し、ＦＥＴをオンさせることによって発光ユニットの両端間を短絡させて消灯する制御を行っている。ところで、この点滅スイッチのオンオフ切換動作のばらつきにより、これら点滅スイッチのオン又はオフ期間が一部重なり、一対の発光ユニットが共に消灯する無負荷状態に陥る虞がある。
【０００７】
すなわち、図１（Ｂ）に示すように左右の点滅スイッチには、点灯中の発光ユニットを左右交互に周期的（例えば、１．２秒間毎）に消灯させて点滅させるためのパルス信号が点滅駆動信号ＳＬ，ＳＲとしてそれぞれ与えられる。
【０００８】
これら左右の点滅駆動信号ＳＬ，ＳＲは、左右の発光部を交互に消灯させるために、そのオンオフが逆転している。
【０００９】
しかし、これら点滅駆動信号を受けた左右の点滅スイッチの一方に、そのオンオフの切り換り動作に遅延が発生すると、そのオン期間が一部重なってしまい、発光ユニットを消灯させる遮断期間が重なり、左右の発光ユニットが共に消灯する無負荷状態が発生する虞がある。
【００１０】
これら左右の発光ユニットが共に無負荷状態になると、左右の発光ユニット毎に接続された点滅スイッチがオン状態で直列接続されることとなり、平滑回路の平滑コンデンサに充填されていた電荷が点滅スイッチを介してアースへ放電されてしまう。
【００１１】
このために、発光ユニットでは消灯の次の点灯瞬時の明るさの立ち上がりが平滑コンデンサの再充電時間の分だけ遅くなってしまう。すなわち、点滅の切り換り直後は左右の発光ユニットの明るさが暗く、その後、徐々に明るくなる等明るさが不安定であるという課題がある。
【００１２】
本発明は、このような事情を考慮してなされたもので、明るさを安定させることができる低コストの発光ダイオード信号灯を提供することを目的とする。
【課題を解決するための手段】
【００１３】
請求項１記載の発光ダイオード信号灯は、発光ダイオードをそれぞれ備え、相互に直列に接続された対をなす複数の発光部と；定電流交流電源からの交流を直流に変換し平滑回路により平滑した出力を前記複数の発光部の直列接続の両端間に供給して点灯させる点灯回路と；オン信号をそれぞれ受けたときに、前記複数の発光部それぞれを短絡して遮断し消灯させるように、前記複数の発光部毎に並列接続された点滅スイッチと；前記点滅スイッチに、オン信号を所定周期で出力する駆動信号とこの駆動信号と同期しそのオンオフが逆転した他方の駆動信号とをそれぞれ与えて前記複数の発光部を交互に点滅させる点滅スイッチ駆動手段と；少なくとも一方の駆動信号のオン信号の出力が他方の駆動信号のオン信号とともに所定期間休止させる休止時間を経てから出力されるように設定する駆動信号調整手段と；を具備していることを特徴とする。
【００１４】
請求項２記載の発光ダイオード信号灯は、前記複数の発光部に印加される電圧が所定値を超える過電圧であることを検出したときに、発光部への通電を遮断するように制御する電圧検出回路を具備し、前記休止時間は、この電圧検出回路の制御時間よりも短く設定されていることを特徴とする。
【００１５】
なお、上記発明において、各発光部の発光ダイオードは単数でも複数でもよく、発光色もいずれでもよい。平滑回路は平滑コンデンサを具備している。また、左右一対等のように対をなす複数の発光部の交互点滅とは、左右等一対の発光部は共に所定周期で点灯と消灯を繰り返して点滅するが、一方の発光部が点灯しているときに、他方の発光部が消灯する状態をいう。
【００１６】
複数の点滅スイッチは点滅駆動信号のオン信号に応じて、遮断動作を交互に所定周期で繰り返す。このために、例えば左右一対の発光部は所定周期で交互に点滅する。
【００１７】
そして、これら左右の点滅駆動信号の一方には、点滅スイッチによる遮断動作を休止させる休止期間が設定されているので、左右の発光部の少なくとも一方は常に点灯する。
【００１８】
したがって、左右の発光部が共に消灯する無負荷状態を回避することができる。
【発明の効果】
【００１９】
請求項１記載の発明によれば、対をなす複数の発光部が共に消灯する無負荷状態が回避されるので、消灯後の次の点灯時の明るさの立ち上がりを早めることができ、その点灯を安定させることができる。
【００２０】
請求項２記載の発明によれば、複数の点滅スイッチの遮断動作の休止期間中には、複数の発光部が共に点灯する。このために、これら発光部に印加される電圧が一方の印加電圧の例えば２倍となり、過電圧になる場合がある。
【００２１】
この過電圧は、電圧検出回路により検出され、複数の発光部への各通電が遮断されて共に消灯されてしまうが、点滅スイッチの遮断動作の休止時間は、この電圧検出回路が過電圧を検出してから複数の発光部への通電が遮断されるまでの制御時間よりも短いので、この電圧検出回路により左右の発光部への通電が遮断されて消灯することを防止することができる。
【発明を実施するための最良の形態】
【００２２】
以下、本発明の実施形態を添付図面に基づいて説明する。なお、これら複数の添付図面中、同一または相当部分には同一符号を付している。
【００２３】
図１（Ａ）は本発明の一実施形態に係る発光ダイオード信号灯の左右の点滅駆動信号を対比して示すタイミングチャート、図２はこの発光ダイオード信号灯の外観正面図、図３は同発光ダイオード信号灯の外観側面図、図４は同発光ダイオード信号灯の駆動回路のブロック図である。
【００２４】
図２、図３に示すように発光ダイオード信号灯１は、例えば滑走路に航空機等を誘導する誘導路の出入口等所定位置の地面２に台座３を設置し、この台座３の上面中央部に、ポール４を立設し、このポール４の上端に、コ字状帯板状の支持枠５の底部中央部を固定している。
【００２５】
支持枠５は、そのコ字状開口内に角筒状の灯体６の図中ほぼ下半部を収容した状態で、この灯体６の左右両側面に、左右一対のコ字状開口端部に設けた一対のヒンジピン７ａ，７ｂを取付け、灯体６を揺動可能に支持している。
【００２６】
灯体６は、その正面板に、左右一対の例えば円形の照射窓８ａ，８ｂをそれぞれ配設し、これらの上側には円弧板状のフード９ａ，９ｂをそれぞれ設けることにより、左右の照射窓８ａ，８ｂに直射日光が当たって点滅のコントラストが低下するのを防止すると共に、雨水が直接照射窓８ａ，８ｂに当たるのを防止している。
【００２７】
そして、灯体６は、これら左右一対の照射窓８ａ，８ｂの内側に、左右一対の発光部の一例である発光ユニット１０ａ，１０ｂをそれぞれ配設している。これら各発光ユニット１０ａ，１０ｂは複数個のＬＥＤをそれぞれ電気的に直列に接続し、円形の照射窓８ａ，８ｂに対応させて基板上にほぼ円形に配列している。また、これら左右一対の発光ユニット１０ａ，１０ｂどうしは電気的に直列に接続されている。
【００２８】
図４はこれら左右一対の発光ユニット１０ａ，１０ｂを駆動する駆動回路１１の電気的構成を示すブロック図である。
【００２９】
図４に示すように駆動回路１１は、定電流交流電源１２、その降圧トランス１３、この降圧トランス１３により降圧された交流を直流に変換する整流回路１４、この整流回路１４により変換された直流を平滑する図示しない平滑コンデンサを備えた平滑回路１５、発光ユニット１０ａ，１０ｂの印加電圧を検出する電圧検出回路２２を具備している。
【００３０】
この平滑回路１５の出力端側には、例えば左の発光ユニット１０ａ、右の発光ユニット１０ｂ、点灯回路１６、点灯電流検出回路１７等をこの順に順次直列に接続している。これら左右の発光ユニット１０ａ，１０ｂには、左右一対の点滅スイッチ１８ａ，１８ｂをそれぞれ並列に接続している。
【００３１】
これら一対の点滅スイッチ１８ａ，１８ｂの入力側には、出力信号を入力信号から電気的に絶縁する各絶縁スイッチ１９ａ，１９ｂ、駆動信号調整手段の一例である点滅信号調整回路２０を介して点滅スイッチ駆動手段の一例である点滅／常点切換スイッチ２１の出力側を接続している。点滅／常点切換スイッチ２１は、左右一対の発光ユニット１０ａ，１０ｂを常時点灯させる常点モードと、左右交互に点滅させる点滅モードとを選択させ、そのモードを切換える機能を有し、点滅モード選択時には、図１（Ａ）で示すパルスの点滅駆動信号ＳＬａ，ＳＲａを、点滅信号調整回路２０、各絶縁スイッチ１９ａ，１９ｂを介して左右一対の点滅スイッチ１８ａ，１８ｂへ与え、左右の発光ユニット１０ａ，１０ｂを左右交互に点滅させる機能を有する。
【００３２】
すなわち、図１（Ａ）で示す左右一対の点滅駆動信号ＳＬａ，ＳＲａはオンとオフが共に所定周期で繰り返す同期したパルス信号により構成され、左の点滅駆動信号ＳＬａは左の点滅スイッチ１０ａに与えられ、右の点滅駆動信号ＳＲａは、右の点滅スイッチ１０ｂに与えられ、これら左右の点滅駆動信号ＳＬａ，ＳＲａは共に同期しているが、そのオンオフ信号が逆転している。
【００３３】
そして、点灯信号調整回路２０は、左右一対の点滅駆動信号ＳＬａ，ＳＲａの少なくとも一方、例えばＳＬａのオンパルスに、点滅スイッチ１０ａによる通電遮断動作を所定時間（期間）、例えば３００μｓ停止させる、つまり休止させる休止期間αをそれぞれ設定している。
【００３４】
左右一対の点滅スイッチ１０ａ，１０ｂは、これら左右一対の点滅駆動信号ＳＬａ，ＳＲａを受けて、そのオンパルス時にオンパルス幅期間オンして導通（オン）し、オフパルス時にオフ期間オフして非導通（オフ）となる。
【００３５】
一対の点滅スイッチ１８ａ，１８ｂが導通（オン）すると、点灯回路１６からの直流電流がこの点滅スイッチ１８ａ，１８ｂ側へ殆ど流れ、発光ユニット１０ａ，１０ｂ側へ殆ど流れない遮断状態となるので、消灯される。したがって、この点滅スイッチ１８ａ，１８ｂのオン動作が発光ユニット１０ａ，１０ｂの遮断動作となる。
【００３６】
これとは逆に、点滅スイッチ１８ａ，１８ｂが非導通（オフ）になると、点灯回路１６からの直流電流は、点滅スイッチ１８ａ，１８ｂ側へは殆ど流れず、その殆どが発光ユニット１０ａ，１０ｂ側へ流れる。これにより、発光ユニット１０ａ，１０ｂが通電され、発光する。
【００３７】
そして、一方の点滅駆動信号、例えばＳＬａには、そのオンパルスに休止期間αが設定されているので、そのオンパルス期間分だけ左の発光ユニット１０ａへの通電遮断動作を早く終了させてしまう。このために、左の発光ユニット１０ａは、その休止期間α分だけ早く点灯するので、右の点滅駆動信号ＳＲａにより点灯を開始した右の発光ユニット１０ｂと共に常に休止期間α分だけ点灯する。
【００３８】
これにより、左右の発光ユニット１０ａ，１０ｂが同時に消灯する無負荷状態を回避できるので、その消灯の次の点灯瞬時の立ち上がりを早めることができ、その明るさを安定させることができる。
【００３９】
また、左右の発光ユニット１０ａ，１０ｂが同時に点灯すると、これらに印加される電圧が例えば２倍になり、過電圧になる可能性がある。
【００４０】
過電圧になると、その過電圧が電圧検出回路２２により検出され、点灯回路１６を介して左右の発光ユニット１０ａ，１０ｂへの通電が強制的に遮断され、消灯される。しかし、これら左右の発光ユニット１０ａ，１０ｂが同時に点灯する休止期間αは、この電圧検出回路２２が過電圧を検出してから点灯回路１６により左右の発光ユニット１０ａ，１０ｂへの通電を遮断するまでの制御時間よりも短く設定されているので、かかる過電圧による不具合を未然に防止することができる。
【００４１】
さらに、発光ダイオード信号灯１の電源として定電流交流電源を使用するので、空港等の既存の定電流交流電源を使用することができ、コスト低減を図ることができる。
【００４２】
また、定電流交流電源を使用すると共に、左右の発光ユニット１０ａ，１０ｂどうしを直列に接続し、これら各発光ユニット１０ａ，１０ｂの複数のＬＥＤをそれぞれ直流に接続しているので、これらＬＥＤの明るさを容易にほぼ均一にすることができる。
【００４３】
また、左右の発光ユニット１０ａ，１０ｂに左右の点滅スイッチ１８ａ，１８ｂを並列に接続しているので、万一、左右の点滅スイッチ１８ａ，１８ｂが共に故障した場合には、少なくとも、これら左右の発光ユニット１０ａ，１０ｂの点灯を維持させることができるので、フェイルセーフを図ることができる。
【図面の簡単な説明】
【００４４】
【図１】（Ａ）は本発明の一実施形態に係る発光ダイオード信号灯の左右の点滅駆動信号を対比して示すタイミングチャート、（Ｂ）は従来の左右点滅駆動信号のタイミングチャート。
【図２】本発明の一実施形態に係る発光ダイオード信号灯の外観正面図。
【図３】図２の側面図。
【図４】図２、図３で示す発光ダイオード信号灯の駆動回路のブロック図。
【符号の説明】
【００４５】
１…発光ダイオード信号灯、８ａ，８ｂ…左右の照射窓、１０ａ，１０ｂ…左右一対の発光ユニット、１１…駆動回路、１２…定電流交流電源、１５…平滑回路、１６…点灯回路、１８ａ，１８ｂ…左右一対の点滅スイッチ、２０…点滅信号調整回路、２１…点滅／常点切換スイッチ、２２…電圧検出回路。
【図１】
2010073645.tif 000003
【図２】
2010073645.tif 000004
【図３】
2010073645.tif 000005
【図４】
2010073645.tif 000006